(57)【要約】【課題】制御回路の動作を指定するプログラムやパラメータを、制御回路を電子機器に組み込んだ状態で変更する。【解決手段】ワイヤレス受電装置３００の制御回路４００が提供される。整流回路４２０は、受信アンテナ３０１に流れる電流を整流し、整流（ＲＣＴ）端子から出力する。電源回路４３０は、ＲＣＴ端子に生ずる整流電圧ＶＲＣＴを受け、所定レベルに安定化される出力電圧ＶＯＵＴを生成する。ＵＳＢトランシーバ４５０は、ワイヤレス受電装置３００を搭載する電子機器５００のＵＳＢ（Universal Serial Bus）端子と接続されており、イネーブル、ディセーブルが切り替え可能である。制御回路４００が電子機器５００に実装された状態で、ＵＳＢトランシーバ４５０を一時的にイネーブルとすることにより、ＵＳＢトランシーバ４５０を経由して不揮発性メモリ４１４に格納されるプログラムおよび／または設定データを変更可能である。【選択図】図２
2020154957.tif 000002
【特許請求の範囲】
【請求項１】
ワイヤレス受電装置の制御回路であって、
整流端子と、
受信アンテナに流れる電流を整流し、前記整流端子から出力する整流回路と、
前記整流端子に生ずる整流電圧を受け、所定レベルに安定化される出力電圧を生成する電源回路と、
前記制御回路を制御するコントローラと、
前記コントローラの動作を規定するプログラムおよび／または設定データを格納する不揮発性メモリと、
前記ワイヤレス受電装置を搭載する電子機器のＵＳＢ（Universal Serial Bus）端子と接続されており、イネーブル、ディセーブルが切り替え可能であるＵＳＢトランシーバと、
を備え、前記制御回路が前記電子機器に実装された状態で、前記ＵＳＢトランシーバを一時的にイネーブルとすることにより、前記ＵＳＢトランシーバを経由して前記不揮発性メモリに格納される前記プログラムおよび／または設定データを変更可能であることを特徴とする制御回路。
【請求項２】
前記制御回路は、前記電子機器に搭載されるホストコントローラと通信可能なインタフェース回路をさらに備え、前記ホストコントローラからの指令に応じて更新モードに設定され、前記更新モードにおいて前記ＵＳＢトランシーバがイネーブルとなることを特徴とする請求項１に記載の制御回路。
【請求項３】
前記コントローラは、受信電力を計算する機能を有し、前記設定データは、前記受信電力を計算する際のパラメータを含むことを特徴とする請求項１または２に記載の制御回路。
【請求項４】
ひとつのパッケージに収容されることを特徴とする請求項１から３のいずれかに記載の制御回路。
【請求項５】
請求項１から４のいずれかに記載の制御回路を備えることを特徴とする電子機器。
【請求項６】
ＵＳＢ端子と、
前記ＵＳＢ端子と接続されるＵＳＢコントローラを有するホストコントローラと、
受信アンテナと、
前記受信アンテナに流れる電流を整流して直流電圧を生成するとともに、送信パケットに応じて前記受信アンテナの電気的状態を変調する制御回路と、
を備え、
前記制御回路は、
前記制御回路を制御するコントローラと、
前記コントローラの動作を規定するプログラムおよび／または設定データを格納する不揮発性メモリと、
前記ホストコントローラとのインタフェース回路と、
前記ＵＳＢ端子と接続されており、前記インタフェース回路が前記ホストコントローラから受信する制御信号にもとづいてイネーブル、ディセーブルが切り替え可能なＵＳＢトランシーバと、
を備え、前記ホストコントローラが、自身のＵＢＳコントローラをディセーブルし、前記制御回路の前記ＵＳＢトランシーバを一時的にイネーブルとすることにより、前記ＵＳＢトランシーバを経由して前記不揮発性メモリに格納される前記プログラムおよび／または設定データを変更可能であることを特徴とする電子機器。
【請求項７】
前記コントローラは、受信電力を計算する機能を有し、前記設定データは、前記受信電力を計算する際のパラメータを含むことを特徴とする請求項１または２に記載の制御回路。
【発明の詳細な説明】
【技術分野】
【０００１】
本発明は、ワイヤレス給電技術に関する。
【背景技術】
【０００２】
近年、電子機器への給電方式として、ワイヤレス給電が普及しはじめている。ワイヤレス給電には、電磁誘導（MI：Magnetic Induction）方式と磁気共鳴（MR：Magnetic Resonance）方式の２つの方式が存在するが、ＭＩ方式では、現在、ＷＰＣ（Wireless Power Consortium）が策定した電磁誘導方式の規格「Qi」が主流となっている。
【０００３】
図１は、Ｑｉ規格に準拠したワイヤレス給電システム１００Ｒの構成を示す図である。給電システム１００Ｒは、送電装置２００Ｒ（ＴＸ、Power Transmitter）と受電装置３００Ｒ（ＲＸ、Power Receiver）を備える。受電装置３００Ｒは、携帯電話端末、スマートフォン、オーディオプレイヤ、ゲーム機器、タブレット端末などの電子機器に搭載される。
【０００４】
送電装置２００Ｒは、送信コイル（１次コイル）２０２、ドライバ２０４、コントローラ２０６、復調器２０８を備える。ドライバ２０４は、Ｈブリッジ回路（フルブリッジ回路）あるいはハーフブリッジ回路を含み、送信コイル２０２に駆動信号Ｓ１、具体的には交流の駆動信号を印加し、送信コイル２０２に流れる駆動電流により、送信コイル２０２に電磁界の電力信号Ｓ２を発生させる。コントローラ２０６は、送電装置２００Ｒ全体を統括的に制御するものであり、具体的には、ドライバ２０４のスイッチング周波数、あるいはスイッチングのデューティ比、位相などを制御することにより、送信電力を変化させる。
【０００５】
受電装置３００Ｒは、受信アンテナ３０１、整流回路３０４、平滑コンデンサ３０６、電源回路３０８、変調器３１０、コントローラ３１２を備える。受信アンテナ３０１は、直列に接続された受信コイル３０２および共振キャパシタ３０３を含み、送信コイル２０２からの電力信号Ｓ２を受信するとともに、制御信号Ｓ３を送信コイル２０２に対して送信する。整流回路３０４および平滑コンデンサ３０６は、電力信号Ｓ２に応じて受信コイル３０２に誘起される電流ＩＲＸを整流・平滑化し、直流電圧ＶＲＣＴに変換する。
【０００６】
電源回路３０８はたとえばリニアレギュレータ（ＬＤＯ：Low Drop Outputともいう）を含み、直流電圧ＶＲＣＴを受け、所定の電圧レベルに安定化された出力電圧ＶＯＵＴを生成する。出力電圧ＶＯＵＴは、負荷５０２に供給する。たとえば負荷５０２はバッテリおよびそれを充電する充電回路を含む。
【０００７】
Ｑｉ規格（あるいはＰＭＡ規格）では、送電装置２００Ｒと受電装置３００Ｒの間で通信プロトコルが定められており、受電装置３００Ｒから送電装置２００Ｒに対して、制御信号Ｓ３による情報の伝達が可能となっている。この制御信号Ｓ３は、後方散乱変調（Backscatter modulation）を利用して、ＡＳＫ（Amplitude Shift Keying）により受信コイル３０２（２次コイル）から送信コイル２０２に送信される。
【０００８】
この制御信号Ｓ３には、たとえば、受電装置３００Ｒに対する電力供給量を指示する電力制御データ（パケットともいう）、受電装置３００Ｒの固有の情報を示すデータなどが含まれる。復調器２０８は、送信コイル２０２の電流あるいは電圧に含まれる制御信号Ｓ３を復調する。コントローラ２０６は、復調された制御信号Ｓ３に含まれる電力制御データにもとづいて、ドライバ２０４を制御する。
【０００９】
受電装置３００Ｒのコントローラ３１２の動作パラメータを、外部から設定したい場合がある。特許文献１には、受電装置の制御回路に、抵抗を外付けするためのピンを設け、外付けされる抵抗の抵抗値に応じて、動作パラメータを設定する技術が開示される。
【先行技術文献】
【特許文献】
【００１０】
【特許文献１】国際公開ＷＯ２０１５／０６４２５０
【特許文献２】特開２０１３−３８８５４号公報
【発明の概要】
【発明が解決しようとする課題】
【００１１】
特許文献１の技術では、制御回路を電子機器に実装する際に、抵抗が半田付けされる。したがって、実装完了後、電子機器に組み込まれた状態で、制御回路の動作パラメータを変更することが不可能であった。
【００１２】
本発明は係る課題に鑑みてなされたものであり、そのある態様の例示的な目的のひとつは、制御回路の動作を指定するプログラムやパラメータを、制御回路を電子機器に組み込んだ状態で変更可能な制御回路の提供にある。
【課題を解決するための手段】
【００１３】
本発明のある態様は、ワイヤレス受電装置の制御回路に関する。制御回路は、受信アンテナが接続される第１交流端子および第２交流端子と、整流端子と、受信アンテナに流れる電流を整流し、整流端子から出力する整流回路と、整流端子に生ずる整流電圧を受け、所定レベルに安定化される出力電圧を生成する電源回路と、制御回路を制御するコントローラと、コントローラの動作を規定するプログラムおよび／または設定データを格納する不揮発性メモリと、ワイヤレス受電装置を搭載する電子機器のＵＳＢ（Universal Serial Bus）端子と接続されており、イネーブル、ディセーブルが切り替え可能であるＵＳＢトランシーバと、を備える。制御回路は、当該制御回路が電子機器に実装された状態で、ＵＳＢトランシーバを一時的にイネーブルとすることにより、ＵＳＢトランシーバを経由して不揮発性メモリに格納されるプログラムおよび／または設定データを変更可能である。
【００１４】
電子機器に従来から備わっているＵＳＢコントローラ（単にＵＳＢコントローラという）とは別に、ワイヤレス受電装置の制御回路に、ＵＳＢコントローラ（元のＵＳＢコントローラと区別するためにＵＳＢトランシーバと称する）を内蔵し、２つのＵＳＢコントローラを排他的に動作できるように実装する。そして、ＵＳＢトランシーバをイネーブル、ＵＳＢトランシーバをディセーブルとすることで、通常時の通信が実現できる。また一時的に、ＵＳＢコントローラをディセーブル、ＵＳＢトランシーバをイネーブルとすることで、制御回路の動作を指定するプログラムやパラメータを、制御回路を電子機器に組み込んだ状態で変更できる。
【００１５】
制御回路は、電子機器に搭載されるホストコントローラからの指令に応じて更新モードに設定され、更新モードにおいてＵＳＢトランシーバがイネーブルとなってもよい。
【００１６】
コントローラは、受信電力を計算する機能を有してもよい。設定データは、受信電力を計算する際のパラメータを含んでもよい。
【００１７】
制御回路は、ひとつのパッケージに収容されてもよい。
【００１８】
本発明の別の態様もまた、電子機器である。この電子機器は、ＵＳＢ端子と、ＵＳＢ端子と接続されるＵＳＢコントローラを有するホストコントローラと、受信アンテナと、受信アンテナに流れる電流を整流して直流電圧を生成するとともに、送信パケットに応じて受信アンテナの電気的状態を変調する制御回路と、を備える。制御回路は、制御回路を制御するコントローラと、コントローラの動作を規定するプログラムおよび／または設定データを格納する不揮発性メモリと、ホストコントローラとのインタフェース回路と、ＵＳＢ端子と接続されており、インタフェース回路がホストコントローラから受信する制御信号にもとづいてイネーブル、ディセーブルが切り替え可能なＵＳＢトランシーバと、を備え、ホストコントローラが、自身のＵＢＳコントローラをディセーブルし、制御回路のＵＳＢトランシーバをイネーブルとすることにより、ＵＳＢトランシーバを経由して不揮発性メモリに格納されるプログラムおよび／または設定データを変更可能である。
【００１９】
コントローラは、受信電力を計算する機能を有し、設定データは、受信電力を計算する際のパラメータを含んでもよい。
【００２０】
なお、以上の構成要素の任意の組み合わせや、本発明の構成要素や表現を、方法、装置、システムなどの間で相互に置換したものもまた、本発明の態様として有効である。
【発明の効果】
【００２１】
本発明のある態様によれば、制御回路の動作を指定するプログラムやパラメータを、制御回路を電子機器に組み込んだ状態で変更できる。
【図面の簡単な説明】
【００２２】
【図１】Ｑｉ規格に準拠したワイヤレス給電システムの構成を示す図である。
【図２】実施の形態に係る制御回路を備える電子機器のブロック図である。
【図３】通常モードにおいて、外部機器と電子機器が接続される様子を示す図である。
【図４】ファームウェア更新モードにおいて、ファームウェア書換装置と電子機器が接続される様子を示す図である。
【図５】ファームウェアの書き換えを説明するフローチャートである。
【図６】実施の形態に係る受電装置を備える電子機器を示す図である。
【発明を実施するための形態】
【００２３】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００２４】
本明細書において、「部材Ａが、部材Ｂと接続された状態」とは、部材Ａと部材Ｂが物理的に直接的に接続される場合のほか、部材Ａと部材Ｂが、それらの電気的な接続状態に実質的な影響を及ぼさない、あるいはそれらの結合により奏される機能や効果を損なわせない、その他の部材を介して間接的に接続される場合も含む。
【００２５】
同様に、「部材Ｃが、部材Ａと部材Ｂの間に設けられた状態」とは、部材Ａと部材Ｃ、あるいは部材Ｂと部材Ｃが直接的に接続される場合のほか、それらの電気的な接続状態に実質的な影響を及ぼさない、あるいはそれらの結合により奏される機能や効果を損なわせない、その他の部材を介して間接的に接続される場合も含む。
【００２６】
図２は、実施の形態に係る制御回路４００を備える電子機器５００のブロック図である。電子機器５００は、スマートフォンやタブレット端末、ポータブルミュージックプレイヤなど、ワイヤレス充電可能なデバイスである。
【００２７】
電子機器５００は、受電装置３００、負荷５０２、ＵＳＢ端子５１０、ホストコントローラ５２０を備える。
【００２８】
受電装置３００は、送電装置２００からの無線電力信号を受け、直流電圧ＶＯＵＴを生成し、負荷５０２に供給する。
【００２９】
負荷５０２は、充電回路５０４およびバッテリ５０６を備える。充電回路５０４は、受電装置３００の出力電圧ＶＯＵＴを受け、充電回路５０４を充電する。
【００３０】
ＵＳＢ端子５１０は、電子機器５００が外部機器２と通信するために設けられており、ＵＳＢ端子５１０には、外部機器２がＵＳＢケーブル３を介して着脱可能に接続される。ＵＳＢ端子５１０は、データ端子Ｄ＋，Ｄ−と、図示しない電圧端子ＶＢＵＳ，ＧＮＤを備える。
【００３１】
ホストコントローラ５２０は、電子機器５００を統合的に制御するシステムコントローラであり、たとえばＳｏＣ（System on Chip）であってもよい。スマートフォンやタブレット端末の場合、ホストコントローラ５２０は、ＣＰＵ（Central Processing Unit）５２２、ＵＳＢコントローラ５２４、インタフェース回路５２６のほか、ベースバンドプロセッサやメモリコントローラなどを含みうる。
【００３２】
ＣＰＵ５２２は、ＯＳ（Operating System）および各種アプリケーションプログラムを実行する。ＵＳＢコントローラ５２４は、ＵＳＢ端子５１０を介して、外部機器２と接続される。インタフェース回路５２６は、制御回路４００との間でデータを送受信するために設けられたシリアルインタフェースであり、たとえばＩ２Ｃ（Inter IC）インタフェースやＳＰＩ（Serial Peripheral Interface）などを用いることができる。
【００３３】
受電装置３００は、主として、受信アンテナ３０１と、制御回路４００と、その他周辺の回路部品を備える。制御回路４００は、受電装置３００の主要部品を１パッケージに収容したものである。
【００３４】
受信アンテナ３０１は、直列に接続された受信コイル３０２および共振キャパシタ３０３を含む。受信アンテナ３０１は、制御回路４００の交流端子ＡＣ１，ＡＣ２の間に接続される。
【００３５】
制御回路４００は、コントローラ４１０、Ａ／Ｄコンバータ４１２、不揮発性メモリ４１４、インタフェース回路４１６、整流回路４２０、電源回路４３０、変調器４４０、ＵＳＢトランシーバ４５０を備え、ひとつのパッケージに収容された機能ＩＣ（Integrated Circuit）であり、コントロールＩＣとも称する。
【００３６】
コントローラ４１０は、受電装置３００を統合的に制御する。コントローラ４１０は、プロセッサコアとソフトウェアプログラムの組み合わせで実装してもよいし、ハードウェアで実装してもよい。コントローラ４１０の機能はさまざまであるが、たとえばワイヤレス送電装置に送信すべきパケットを生成し、パケットに応じた変調信号ＭＯＤを出力する。
【００３７】
またコントローラ４１０は、制御回路４００の各部の電気的状態を監視し、受信電力ＰＲＸを計算したり、電源回路４３０の目標電圧を制御する機能を有する。たとえばコントローラ４１０と付随してＡ／Ｄコンバータ４１２が設けられる。Ａ／Ｄコンバータ４１２は、整流電圧ＶＲＣＴ、電源回路４３０に流れる電流ＩＯＵＴなどをデジタル信号に変換し、コントローラ４１０に供給する。
【００３８】
整流回路４２０は、ＡＣ１端子とＡＣ２端子に接続され、受信アンテナ３０１に流れる電流ＩＣＯＩＬ（ＲＸ）を整流し、ＲＣＴ端子に全波整流して出力する。ＲＣＴ端子には、平滑コンデンサ３０６が接続される。ＲＣＴ端子に生ずる電圧を、整流電圧ＶＲＣＴという。整流回路４２０は、複数のトランジスタを含む同期整流回路であってもよいし、ダイオードブリッジ回路であってもよい。
【００３９】
電源回路４３０は、リニアレギュレータ（ＬＤＯ：Low Drop Outputともいう）であり、整流電圧ＶＲＣＴを受け、所定の目標レベルに安定化された出力電圧ＶＯＵＴを生成する。出力電圧ＶＯＵＴは、ＯＵＴ端子から負荷５０２に出力される。
【００４０】
変調器４４０は、コントローラ４１０が生成した変調信号に応じて、受信アンテナ３０１の状態、具体的にはコイル電流ＩＣＯＩＬ（ＲＸ）あるいはコイル電圧を変調する。変調器４４０はオープンドレイン回路であり、ドレインが端子ＣＯＭ１，ＣＯＭ２と接続されるトランジスタＭ１１，Ｍ１２を含む。ＣＯＭ１，ＣＯＭ２端子は、キャパシタＣ１１，Ｃ１２を介してＡＣ１端子、ＡＣ２端子と接続されている。変調器４４０は、変調信号ＭＯＤに応じてトランジスタＭ１１，Ｍ１２をスイッチングすることにより、ＡＭ変調信号をコイル電流ＩＣＯＩＬ（ＲＸ）（あるいはコイル電圧）に重畳する。これにより送信コイルの電流（あるいは電圧）が変調され、送電装置２００にパケットが送信される。
【００４１】
不揮発性メモリ４１４は、コントローラ４１０の動作を規定するプログラムおよび／または設定データを格納する。不揮発性メモリ４１４に格納されるプログラムや設定データを、ファームウェアと総称する。このファームウェアは、ＣＰＵ５２２や図示しないアプリケーションプロセッサが実行すべきファームウェアとは完全に独立したものである。コントローラ４１０の製造段階において、不揮発性メモリ４１４には、ファームウェアが書き込まれる。
【００４２】
不揮発性メモリ４１４のファームウェアは、コントローラ４１０を電子機器５００に実装した状態において、外部から書き換え可能となっている。そのために電子機器５００は、通常モードとファームウェア更新モードの２つのモードが切り替え可能であり、通常モードがデフォルトである。
【００４３】
ファームウェア更新モードのために、ＵＳＢトランシーバ４５０が設けられる。ＵＳＢトランシーバ４５０は、ＵＳＢ端子５１０と接続されている。通常、ひとつの電子機器は、単一のＵＳＢトランシーバ（ＵＳＢコントローラ）を備えるが、本実施の形態では、制御回路４００のＵＳＢトランシーバ４５０と、ホストコントローラ５２０のＵＳＢコントローラ５２４の２個が設けられている点に留意されたい。
【００４４】
ＵＳＢトランシーバ４５０は、イネーブル、ディセーブルが切り替え可能である。ＵＳＢトランシーバ４５０のイネーブル／ディセーブルは、コントローラ４１０によって制御され、通常モードでは、ＵＳＢトランシーバ４５０はディセーブル状態に設定される。ＵＳＢトランシーバ４５０のディセーブル状態では、ＵＳＢトランシーバ４５０は、ＵＳＢ端子５１０に接続される機器／装置からは一切見えず、したがって外部の機器／装置は、ＵＳＢコントローラ５２４と通信を行うことができる。
【００４５】
ＵＳＢ端子５１０には、外部機器２に代えて、ファームウェア書換装置４が接続可能である。ファームウェア書換装置４は、電子機器５００の製造者により使用され、ファームウェア書換装置４は、制御回路４００の不揮発性メモリ４１４に格納されるファームウェアを更新する際に、ＵＳＢ端子５１０と接続される。ファームウェア書換装置４が接続されると、電子機器５００がファームウェアに設定され、ＵＳＢトランシーバ４５０がイネーブルとなる。
【００４６】
ＵＳＢ端子５１０にファームウェア書換装置４が接続されると、ファームウェア書換装置４とＵＳＢコントローラ５２４の通信が確立する。そして、ファームウェア書換装置４からホストコントローラ５２０に対して、ファームウェア更新モードに設定すべき指示データＳ１１が与えられる。
【００４７】
ファームウェア更新モードに設定されると、ホストコントローラ５２０は、自身のＵＳＢコントローラ５２４をディセーブルとし、制御回路４００のインタフェース回路４１６に、ファームウェア更新モードに設定すべき指示データＳ１２を送信する。
【００４８】
コントローラ４１０は、インタフェース回路４１６が、指示データＳ１２を受信すると、ＵＳＢトランシーバ４５０をイネーブルとする。
【００４９】
ＵＳＢトランシーバ４５０がイネーブルとなると、制御回路４００とファームウェア書換装置４の間で、ＵＳＢケーブル３を介したリンクが確立する。そして、ファームウェア書換装置４からＵＳＢトランシーバ４５０に対して、不揮発性メモリ４１４に書き込むべきファームウェアの全部あるいは一部（単にファームウェアＳ１３という）が送信され、それが不揮発性メモリ４１４に書き込まれる。
【００５０】
書き込みが完了すると、コントローラ４１０は、インタフェース回路４１６を介してホストコントローラ５２０に更新完了の通知Ｓ１４を送信する。ホストコントローラ５２０はこの通知Ｓ１４を受領すると、制御回路４００を、通常モードに戻す。これによりＵＳＢトランシーバ４５０がディセーブルとなる。そしてホストコントローラ５２０は、ＵＳＢコントローラ５２４をイネーブルとする。かくして電子機器５００が通常モードに復帰する。
【００５１】
以上が電子機器５００の構成である。続いてその動作を説明する。
【００５２】
図３は、通常モードにおいて、外部機器２と電子機器５００が接続される様子を示す図である。外部機器２と電子機器５００は、ＵＳＢケーブル３を介して接続される。外部機器２の種類は限定されず、デスクトップコンピュータやラップトップコンピュータ、プリンタなどであり、ＵＳＢコントローラ６を内蔵している。ホストコントローラ５２０側のＵＳＢコントローラ５２４は、外部機器２のＵＳＢコントローラ６との間でデータを送受信する。
【００５３】
この通常モードでは、ＵＳＢトランシーバ４５０はディセーブルであり、外部機器２のＵＳＢコントローラ６と、電子機器５００のホストコントローラ５２０の通信には一切関与せず、また影響を与えない。
【００５４】
図４は、ファームウェア更新モードにおいて、ファームウェア書換装置４と電子機器５００が接続される様子を示す図である。ファームウェア書換装置４と電子機器５００は、ＵＳＢケーブル３を介して接続され、ファームウェア書換装置４は、ＵＳＢコントローラ８や、記憶装置１０を備える。記憶装置１０には、電子機器５００に書き込むべき更新後のファームウェアＦＷが格納される。ファームウェア書換装置４は、電子機器５００をファームウェア更新モードに設定する。そうすると、ＵＳＢトランシーバ４５０がイネーブル状態となり、ＵＳＢコントローラ８とＵＳＢトランシーバ４５０が通信可能となる。ＵＳＢコントローラ８は、ＵＳＢトランシーバ４５０にファームウェアＦＷを送信する。ＵＳＢトランシーバ４５０が受信したファームウェアＦＷは、不揮発性メモリ４１４に書き込まれる。
【００５５】
ファームウェア書換装置４は、複数の電子機器５００を同時に接続できるように構成してもよい。
【００５６】
図５は、ファームウェアの書き換えを説明するフローチャートである。はじめに電子機器５００に、ファームウェア書換装置４が接続される（Ｓ１００）。ファームウェア書換装置４のＵＳＢコントローラとＵＳＢコントローラ５２４が通信を行い、電子機器５００がファームウェア更新モードにセットされる（Ｓ１０２）。そうするとＵＳＢコントローラ５２４がディセーブルとなる（Ｓ１０４）。そしてＵＳＢトランシーバ４５０がイネーブルとなり（Ｓ１０６）、ＵＳＢトランシーバ４５０とファームウェア書換装置４のＵＳＢコントローラとの通信が確立する。
【００５７】
そして電子機器５００のファームウェアが更新される（Ｓ１０８）。具体的にはファームウェア書換装置４から制御回路４００のＵＳＢトランシーバ４５０にファームウェアＦＷが送信され、不揮発性メモリ４１４に書き込まれる。
【００５８】
ファームウェアの更新が完了すると、通常モードへの復帰が指示される。具体的には、ＵＳＢトランシーバ４５０がディセーブルとなり（Ｓ１１０）、ＵＳＢコントローラ５２４がイネーブルとなる（Ｓ１１２）。その後、電子機器５００からファームウェア書換装置４が切断される（Ｓ１１４）。
【００５９】
以上が電子機器５００の動作である。この電子機器５００によれば、電子機器５００に従来から備わっているＵＳＢコントローラ５２４をイネーブル、制御回路４００に設けたＵＳＢトランシーバ４５０をディセーブルとすることで、通常時の通信が実現できる。また、ファームウェア更新モードにおいて、ＵＳＢコントローラ５２４をディセーブル、ＵＳＢトランシーバ４５０をイネーブルとすることで、制御回路４００の動作を指定するプログラムやパラメータを、制御回路を電子機器に組み込んだ状態で変更できる。
【００６０】
以下、ファームウェアの更新の一例を説明する。図２に戻る。Ｑｉ規格では、制御回路４００は、受信電力ＰＲＸを計算し、受信電力ＰＲＸを示すパケットを送電装置２００に送信する機能を有する。受信電力ＰＲＸは、整流回路４２０や電源回路４３０等の消費電力の合計であり、整流電圧ＶＲＣＴや電流ＩＯＵＴなどにもとづいて計算することができ、それらの関数として表すことができる。
【００６１】
たとえば受信電力ＰＲＸを、以下の式（１）にもとづいて計算してもよい。
ＰＲＸ＝ＶＲＣＴ×ＩＯＵＴ＋ＲＯＮ×ＩＯＵＴ２＋ＶＲＣＴ×ＩＤＤ
右辺第１項は、電源回路４３０の消費電力である。右辺第２項は、電力損失である。ＲＯＮは所定の定数であり、インピーダンスの次元を有する。右辺第３項は、制御回路４００自体の消費電力であり、ＩＤＤは、制御回路４００の動作電流である。ＩＤＤは実測してもよいし、典型的な予測値を用いてもよい。
【００６２】
ファームウェアの更新される一部は、受信電力ＰＲＸを計算する際に参照されるパラメータを含むことができ、式（１）におけるＲＯＮを含んでもよい。
【００６３】
また、制御回路４００は、式（１）あるいは別の式にもとづいて受信電力ＰＲＸを計算し、それを補正した値ＰＲＸ’を、送電装置２００に送信してもよい。この場合において、ファームウェアの更新される一部は、補正式に用いるパラメータを含んでもよい。たとえば補正には、式（２）を用いてもよい。
ＰＲＸ’＝α×ＰＲＸ＋β      …（２）
この場合、パラメータα、βを、変更できるようにしてもよい。
【００６４】
（用途）
最後に、実施の形態に係るワイヤレス受電装置３００を用いた電子機器の例を説明する。図６は、実施の形態に係る受電装置３００を備える電子機器５００を示す図である。図６の電子機器５００は、スマートフォン、タブレットコンピュータや携帯型ゲーム機、携帯型オーディオプレイヤであり、筐体５０１には、受信コイル３０２、整流回路３０４、平滑コンデンサ３０６、電源回路３０８等を含む受電装置３００が内蔵される。図６には、負荷５０２として、充電回路５０４、バッテリ５０６、その他の電子回路５０８が示される。電子回路５０８は、無線（ＲＦ）部、ベースバンドプロセッサ、アプリケーションプロセッサ、オーディオプロセッサ等を含んでもよい。
【００６５】
実施の形態にもとづき、具体的な用語を用いて本発明を説明したが、実施の形態は、本発明の原理、応用を示しているにすぎず、実施の形態には、請求の範囲に規定された本発明の思想を逸脱しない範囲において、多くの変形例や配置の変更が認められる。
【符号の説明】
【００６６】
２  外部機器
４  ファームウェア書換装置
６  ＵＳＢコントローラ
８  ＵＳＢコントローラ
１００  給電システム
２００  送電装置
２０２  送信コイル
２０４  ドライバ
２０６  コントローラ
２０８  復調器
３００  受電装置
３０１  受信アンテナ
３０２  受信コイル
３０３  共振キャパシタ
３０４  整流回路
３０６  平滑コンデンサ
３０８  電源回路
４００  制御回路
４１０  コントローラ
４１２  Ａ／Ｄコンバータ
４１４  不揮発性メモリ
４１６  インタフェース回路
４２０  整流回路
４３０  電源回路
４４０  変調器
４５０  ＵＳＢトランシーバ
５００  電子機器
５０１  筐体
５０２  負荷
５０４  充電回路
５０６  バッテリ
５１０  ＵＳＢ端子
５２０  ホストコントローラ
５２２  ＣＰＵ
５２４  ＵＳＢコントローラ
５２６  インタフェース回路
【図１】
2020154957.tif 000003
【図２】
2020154957.tif 000004
【図３】
2020154957.tif 000005
【図４】
2020154957.tif 000006
【図５】
2020154957.tif 000007
【図６】
2020154957.tif 000008